(57)【特許請求の範囲】
【請求項１】
テレビ放送又はラジオ放送を受信する携帯端末であって、
受信した放送番組を再生する再生手段と、
それぞれが、各放送番組の内容を示す情報を含む番組識別情報とその放送時間とからなるテレビ放送の番組表及びラジオ放送の番組表を取得する取得手段と、
再生中の放送番組の受信を続行できなくなったことを検知する検知手段と、
放送番組を再生中、当該放送番組の受信を続行できなくなったことが検知された場合、各番組表に基づき、当該放送番組に対応し、且つ放送中である放送番組を特定し、再生していた放送番組に替えて特定した放送番組を再生するように制御する再生制御手段とを備え、
前記携帯端末は、前記テレビ放送又はラジオ放送を選択して受信することができ、
前記再生制御手段は、再生中の放送番組がテレビ放送の番組である場合には、前記テレビ放送の番組表における再生中の番組の番組識別情報に含まれる番組の内容を示すキーワードと共通する番組の内容を示すキーワードを含む前記ラジオ放送の番組表における番組識別情報に係るラジオ放送の番組を前記対応する放送番組として特定し、再生中の放送番組がラジオ放送の番組である場合には、前記ラジオ放送の番組表における再生中の番組の番組識別情報に含まれる番組の内容を示すキーワードと共通する番組の内容を示すキーワードを含む前記テレビ放送の番組表における番組識別情報に係るテレビ放送の番組を前記対応する放送番組として特定する
ことを特徴とする携帯端末。
【請求項２】
前記再生手段は、表示部及びスピーカを含み、
前記再生制御手段は、再生中の放送番組がラジオ放送の番組である場合において、当該番組に対応するテレビ放送の番組を特定したときに、当該テレビ放送の番組の音声を前記スピーカから出力させると共に、ユーザ操作に基づいて、当該番組の映像を前記表示部に表示させるか否かを切り替える
ことを特徴とする請求項１記載の携帯端末。
【請求項３】
前記携帯端末は、メール機能を有し、
前記再生制御手段は、メールの編集が行われている場合において、特定したテレビ放送の番組の映像を前記表示部に表示させることを選択するユーザ操作が行われたときに、当該番組の映像を前記表示部に表示させる
ことを特徴とする請求項２記載の携帯端末。
【請求項４】
前記検知手段は、再生中の放送番組の受信レベルが一定時間閾値以下になったことを検出することにより前記検知を行うこと
を特徴とする請求項１記載の携帯端末。
【請求項５】
前記検知手段は、再生中の放送番組がテレビ放送の番組である場合には、テレビ放送の番組表に基づき、再生中の放送番組がラジオ放送の番組である場合には、ラジオ放送の番組表に基づき、再生中の放送番組と同一放送周波数で送信される後続する放送番組を受信したことを検出することにより前記検知を行うこと
を特徴とする請求項１記載の携帯端末。
【請求項６】
前記再生手段は、表示部を含み、
前記検知手段による前記検知が行われた際に、前記後続する放送番組の受信を続行するか否かをユーザに選択させるための画像を前記表示部に表示させ、
前記再生制御手段は、前記後続する放送番組の受信を続行しないことを選択するユーザ操作が行われた場合に、再生していた放送番組に替えて特定した放送番組を再生するように制御する
ことを特徴とする請求項５記載の携帯端末。
【請求項７】
プログラムを実行可能であり、テレビ放送又はラジオ放送を受信する携帯端末おけるプロセッサに、番組切替処理を実行させるための制御プログラムであって、
前記番組切替処理は、
受信した放送番組を再生する再生ステップと、
それぞれが、各放送番組の内容を示す情報を含む番組識別情報とその放送時間とからなるテレビ放送の番組表及びラジオ放送の番組表を取得する取得ステップと、
再生中の放送番組の受信を続行できなくなったことを検知する検知ステップと、
放送番組を再生中、当該放送番組の受信を続行できなくなったことが検知された場合、各番組表に基づき、当該放送番組に対応し、且つ放送中である放送番組を特定し、再生していた放送番組に替えて特定した放送番組を再生するように制御する再生制御ステップとを含み、
前記携帯端末は、前記テレビ放送又はラジオ放送を選択して受信することができ、
前記再生制御ステップは、再生中の放送番組がテレビ放送の番組である場合には、前記テレビ放送の番組表における再生中の番組の番組識別情報に含まれる番組の内容を示すキーワードと共通する番組の内容を示すキーワードを含む前記ラジオ放送の番組表における番組識別情報に係るラジオ放送の番組を前記対応する放送番組として特定し、再生中の放送番組がラジオ放送の番組である場合には、前記ラジオ放送の番組表における再生中の番組の番組識別情報に含まれる番組の内容を示すキーワードと共通する番組の内容を示すキーワードを含む前記テレビ放送の番組表における番組識別情報に係るテレビ放送の番組を前記対応する放送番組として特定する
ことを特徴とする制御プログラム。
【発明の詳細な説明】
【技術分野】
【０００１】
本発明は、携帯端末に関し、特に、テレビ放送又はラジオ放送を受信可能な携帯端末に関する。
【背景技術】
【０００２】
従来、テレビやラジオの放送を受信可能な携帯電話機が提供されており、ユーザは、外出先等でも携帯電話機を用いてテレビやラジオの放送番組を視聴することができる。
放送番組の中には、プロ野球中継等の番組の様に、テレビとラジオの複数の放送局で放送されているものがある。
各放送局で放送される映像、実況中継、放送終了時間等は、放送局毎に異なっており、ユーザは携帯電話機を操作して好みの放送局の番組を選択して視聴することができる。
【０００３】
尚、テレビ放送番組の映像とラジオ放送番組の音声を組み合わせる等、ユーザの好みに応じて放送番組の音声や映像を組み合わせて視聴する技術が特許文献１に開示されている。
【特許文献１】特開２００２−９４８９０号公報
【発明の開示】
【発明が解決しようとする課題】
【０００４】
しかしながら、例えば、ユーザが、外出先で携帯電話を用いてテレビの野球中継を視聴している時に、電波の受信状態が悪くなり、継続して視聴することが困難な場合がある。
このような場合、ユーザがその試合を続けて視聴するには、同じ試合の番組が他の放送局で放送されていないか探し出すための面倒な操作を強いられることになる。また、特に試合の経過を少しでも見逃したくないユーザの場合には、すぐに代わりの番組を視聴したいという要望がある。
【０００５】
そこで、本発明は、かかる問題に鑑みてなされたものであり、テレビ放送又はラジオ放送の番組を視聴中に、その番組の受信が中断される状態になった場合、ユーザが、煩雑な操作を行なわずにその番組に代わる番組を視聴できるようにする携帯端末を提供することを目的とする。
【課題を解決するための手段】
【０００６】
上記課題を解決するために、本発明に係る携帯端末は、テレビ放送又はラジオ放送を受信する携帯端末であって、受信した放送番組を再生する再生手段と、複数の放送番組の各々について、対応する放送番組とその放送時間を示す番組情報を保持する保持手段と、再生中の放送番組の受信を続行できなくなったことを検知する検知手段と、放送番組を再生中、当該放送番組の受信を続行できなくなったことが検知された場合、前記番組情報に基づき、当該放送番組に対応し、且つ放送中である放送番組を特定し、再生していた放送番組に替えて特定した放送番組を再生するように制御する再生制御手段とを備えることを特徴とする。
【０００７】
また、前記携帯端末は、更に、各放送番組の内容を示す情報を含む番組識別情報とその放送時間とからなる番組表を取得する取得手段を備え、前記対応する放送番組とは、前記番組表において番組内容が共通する番組識別情報に係る放送番組であることとしてもよい。
ここで、放送番組の再生とは、受信した放送番組をユーザが視聴しうる様に処理することであり、テレビ放送に係る番組である場合には、当該番組の映像をディスプレイに表示して音声をスピーカ等に出力し、ラジオ放送に係る番組である場合には、当該番組の音声をスピーカ等に出力することである。また、対応する放送番組とは、例えば、放送番組の内容が互いに共通する番組や、放送番組のカテゴリが同一である番組等である。
【発明の効果】
【０００８】
この構成によれば、本発明に係る携帯端末は、予め各放送番組に対応する放送番組とその放送時間を保持しているので、再生中の放送番組の受信が継続できなくなったことを検知した場合には、ユーザが操作することなく、すぐに放送中の対応する放送番組を再生することができる。
そのため、例えば、ユーザが、テレビ放送の野球中継を視聴中に、受信電波の状態が悪くなる等して番組の視聴が困難になった場合には、放送中の同じ試合の放送番組がすぐに再生されるため、ユーザはその野球の試合を続けて視聴することができる。
【０００９】
また、前記検知手段は、再生中の放送番組の受信レベルが一定時間閾値以下になったことを検出することにより前記検知を行うこととしてもよい。
この構成によれば、本発明に係る携帯端末は、再生中の放送番組の受信レベルが一定時間閾値以下であるか否かを判定することにより、再生中の放送番組を受信できなくなったことを検知することができる。そのため、例えば、ユーザが放送番組を視聴中に、受信レベルが閾値以下になり、映像や音声が乱れて視聴が困難である状態になった場合でも、視聴中の番組に代わる放送番組を視聴することができる。
【００１０】
また、前記検知手段は、前記番組表に基づき、再生中の放送番組と同一放送周波数で送信される後続する放送番組を受信したことを検出することにより前記検知を行うこととしてもよい。
この構成によれば、本発明に係る携帯端末は、再生中の番組と同一放送チャネルで後続する番組を受信したことを検出することにより、再生していた番組を受信できなくなったことを検知することができる。そのため、例えば、ユーザがテレビの野球中継を視聴している場合に、試合の途中で番組の放送が終了された時、ユーザは、ラジオ放送中の同じ野球中継番組をすぐに聴くことができる。
【００１１】
また、前記携帯端末は、前記テレビ放送又はラジオ放送を選択して受信することができ、前記再生制御手段は、再生中の放送番組がテレビ放送の番組である場合には、当該番組に対応するラジオ放送の番組を特定し、再生中の放送番組がラジオ放送の番組である場合には、当該番組に対応するテレビ放送の番組を特定することとしてもよい。
この構成によれば、本発明に係る携帯端末は、テレビ放送又はラジオ放送の放送番組を再生中に受信レベルが低くなり、その番組の視聴が困難になった場合に、対応する他方の放送に係る放送番組を再生することができるので、ユーザは、他方の受信感度が高ければ再生中の放送番組の続きを視聴することができる。また、例えば、ラジオ放送の野球中継番組の放送終了時間がテレビ放送より遅い場合には、先にテレビ放送の野球中継が試合途中で終了された場合でも、ユーザは、同じ野球の試合の続きをラジオ放送で聴くことができる。
【発明を実施するための最良の形態】
【００１２】
＜実施形態＞
以下、本発明の実施形態に係る携帯電話機について説明する。
＜概要＞
本実施形態に係る携帯電話機は、テレビ放送及びラジオ放送を受信可能であり、ユーザによってテレビ放送の野球中継の番組が選局された場合、その選局された番組を受信して音声及び映像を出力し、受信中にその受信レベルが一定時間以上閾値以下になった時、その番組に代えてラジオ放送による同じ試合の番組を受信するものである。
【００１３】
尚、ユーザによってテレビ放送の野球中継の番組が選局された際、テレビ放送及びラジオ放送の電子番組表を取得し、電子番組表からその野球中継と同じ試合のラジオ放送の番組を選出しておくものとする。
＜外観＞
図７は、本発明に係る携帯電話機の外観図を示している。
【００１４】
携帯電話機１００は、上部筐体１０１及び下部筐体１０２とから構成されている。
上部筐体１０１は、スピーカ５０、及び表示部６０を含み、下部筐体１０２は、操作部４０を含んでいる。
携帯電話機１００は、ユーザによる操作部４０の操作によって選局されたテレビ放送又はラジオ放送の番組を受信し、受信した番組の音声をスピーカ５０に出力する。また、受信した番組がテレビ放送の場合は映像を表示部６０に表示する。
＜構成＞
図１は、本発明に係る携帯電話機１００の機能構成図である。
【００１５】
携帯電話機１００は、ＴＶ放送受信部１０、ラジオ放送受信部２０、操作部４０、スピーカ５０、表示部６０、無線制御部７０、音声処理部８０、マイク９０、及び制御部３０で構成されている。
ここで、ＴＶ放送受信部１０は、アンテナを介してテレビ放送の電波を受信し、ユーザによって選局された番組の映像信号及び音声信号を復調して取得する機能を有する。
【００１６】
ラジオ放送受信部２０は、アンテナを介してラジオ放送の電波を受信し、ユーザによって選局された番組の音声信号を取得する機能を有する。
操作部４０は、図７に示す様に複数の操作ボタンで構成されており、ユーザによって押下されたボタンに対応する信号を制御部３０に送出する機能を有する。
スピーカ５０は、後述する音声出力制御部３２によって送出された音声信号に基づく音声を出力する機能を有する。
【００１７】
表示部６０は、液晶ディスプレイ等で実現され、ＴＶ放送受信部１０によって受信された映像信号が後述する画像出力制御部３１で画像処理された映像や、携帯電話機１００における他の機能、例えばメール作成機能等に係る画像を表示する機能を有する。
無線制御部７０は、音声処理部８０により送出された送信信号を増幅しアンテナを介して送信する機能と、基地局を介してインターネット接続等の無線通信を行なう機能を有する。また、アンテナを介して受信された受信信号を増幅し、増幅した受信信号を受話音声信号及び受信データ信号に復調する。
【００１８】
音声処理部８０は、マイク９０から入力された送話音声信号をＡ／Ｄ変換し、Ａ／Ｄ変換された音声信号を送信信号に変調し、無線制御部７０に送出する機能を有する。また、無線制御部７０により受信された受話音声信号をＤ／Ａ変換し、音声出力制御部３２に送出する機能を有する。
制御部３０は、ＣＰＵ及びメモリ(ＲＯＭ及びＲＡＭ)を含み、携帯電話機１００の各部を制御する機能を有する。
【００１９】
また、制御部３０は、画像出力制御部３１、音声出力制御部３２、番組特定部３３、検知部３４、及び受信制御部３５を含んで構成されている。
画像出力制御部３１は、ＴＶ放送受信部１０によって受信された映像信号に基づく映像を表示するための画像処理を行って表示部６０に映像を表示させる機能と、受信制御部３５によりラジオ放送の番組を受信する指示がなされた場合に、表示部６０へのテレビ映像の表示を停止し、待受け画像等の画像を表示部６０に表示させる機能を有する。
【００２０】
音声出力制御部３２は、受信制御部３５の指示に応じて、ＴＶ放送受信部１０によって受信された音声信号、ラジオ放送受信部２０によって受信された音声信号のいずれかをスピーカ５０に送出する機能を有する。
番組特定部３３は、ＴＶ放送受信部１０を介してテレビ放送の電子番組表を取得し、また、無線制御部７０を介してインターネット接続し、特定のサーバ上にあるラジオ放送の電子番組表を取得する機能を有する。また、電子番組表と後述する再生番組情報とに基づき、再生中の番組に代替する代替番組を選出する機能と、後述する検知部３４による検知信号を受付けた時点で放送中である代替番組を、選出された代替番組から特定する機能を有する。
【００２１】
検知部３４は、予めメモリに格納された閾値に基づき、受信中の放送の受信レベルが閾値以下であるか否かを検知し、検知した時点から、例えば、３０秒間閾値以下の状態が継続しているか否かを判定する機能を有する。
受信制御部３５は、テレビ放送又はラジオ放送の番組選択をユーザ操作により受付けた場合、及び番組特定部３３による代替番組の受信指示を受付けた場合に、ＴＶ放送受信部１０又はラジオ放送受信部２０に受付けた番組の受信を指示する機能を有する。また、再生中の番組を示す再生番組情報をメモリに保持する機能を有する。
＜データ＞
以下、携帯電話機１００内部に記憶されているテーブルデータについて図３を用いて説明する。
【００２２】
図３(ａ)は、テレビ放送の番組表データテーブル３１０の構成及び内容例を示している。
番組表データテーブル３１０は、放送時間３１１、チャンネル３１２、及び番組情報３１３を対応付けて記憶している。
放送時間３１１は、番組の放送開始時間及び終了時間を示しており、チャンネル３１２は、番組の選局情報を示している。
【００２３】
番組情報３１３は、チャンネル３１２の放送時間３１１において放送される番組に関する各種情報を示しており、番組タイトル３１４及び番組内容３１５を含んでいる。
番組タイトル３１４は、番組の名称を表しており、番組内容３１５は、例えば、野球中継等のスポーツ番組である場合には、スポーツの種類、競技又は試合場所、対戦情報等の番組内容に関わる各種情報が格納されている。
【００２４】
図３(ｂ)は、ラジオ放送の番組表データテーブル３２０の構成及び内容例を示している。
番組表データテーブル３２０は、上述した図３(ａ)と同様に、放送時間３２１、チャンネル３２２、及び番組情報３２３を対応付けて記憶している。これらの構成は、図３(ａ)の番組表データテーブル３１０の構成と同様であるため、説明を省略する。
【００２５】
ここで、上述の図３(ａ)及び(ｂ)の各テーブルデータに対応する電子番組表を図２に示す。
図２(ａ)の電子番組表２１０は、図３(ａ)の番組表データテーブル３１０と対応しており、電子番組表２１０の縦方向は放送時間２１２、横方向はチャンネル２１１を示している。例えば、図２(ａ)の矩形２１３内の番組は図３(ａ)の番組表データ３１６を示している。
【００２６】
また、図２(ｂ)の電子番組表２２０は、図３(ｂ)の番組表データテーブル３２０と対応しており、図２(ａ)と同様に、電子番組表２２０の縦方向は放送時間２２２、横方向はチャンネル２２１を示している。
図３(ｃ)は、再生番組情報テーブルの構成及び内容例を示している。
再生番組情報テーブル３３０は、現在再生中の番組の情報であり、受信制御部３５により番組表データテーブルを基に更新され、メモリに保持されている。
【００２７】
再生番組情報テーブル３３０は、チャンネル３３１、番組タイトル３３２、キーワード３３３、及び放送終了時間３３４を対応付けて記憶している。
チャンネル３３１は、現在再生中の番組の選局情報を示しており、例えば、テレビ放送のチャンネル４の場合、“ＴＶ−４”で表し、ラジオ放送のチャンネルＡＭ１２３の場合は、“Ｒ−ＡＭ１２３”の様に表している。
【００２８】
番組タイトル３３２は、現在再生中の番組名称であり、上述の番組表データテーブルの番組タイトルと同様である。
また、キーワード３３３は、番組表データテーブルの番組内容３１５に含まれている文字列であり、例えば、スポーツ中継番組である場合には、受信制御部３５によりスポーツの種類、競技又は試合場所、及び対戦情報が番組内容３１５から選択される。
【００２９】
放送終了時間３３４は、再生中の番組の番組表データテーブルにおける放送時間の終了時間を示している。
図３(ｄ)は、番組特定部３３によって選出された代替番組情報テーブルの構成及び内容例を示している。
代替番組情報テーブル３４０は、チャンネル３４１、代替番組３４２、及び放送終了時間３４３を対応付けて記憶している。
【００３０】
チャンネル３４１は、代替番組の選局情報を示しており、上述した図３(ｃ)と同様に、テレビ放送の場合は“ＴＶ−”、ラジオ放送の場合は“Ｒ−”の様に表す。
代替番組３４２は、番組表データテーブルにおいて、再生番組情報テーブル３３０のキーワード３３３の文字列を番組内容に含む番組のタイトル等を示している。
放送終了時間３４３は、番組表データテーブルにおける代替番組の放送終了時間を示している。
【００３１】
図３(ｄ)は、受信感度情報テーブルの構成及び内容例を示している。
受信感度情報テーブル３５０は、受信レベル３５１及び時間３５２を対応付けて記憶している。
受信レベル３５１は、受信する放送電波の受信レベルの閾値を示しており、時間３５２は、閾値以下の状態が継続する時間を示している。
【００３２】
尚、本実施形態では、受信感度情報テーブル３５０は、予めユーザによって設定されメモリ等に記憶されているものとし、同図に示す様に、閾値Ｘ以下の状態が３０秒継続した場合に、検知部３４は、再生中の番組の受信を継続できないと判定する。
＜動作＞
以下、本実施形態に係る携帯電話機１００の動作について説明する。
【００３３】
図４は、携帯電話機１００の代替番組切替処理の動作フロー図を示している。
受信制御部３５は、ユーザから操作部４０を介してテレビ放送又はラジオ放送受信のための起動指示を受付け、ＴＶ放送受信部１０及びラジオ放送受信部２０のいずれかを起動する(ステップＳ４０１)。
また、受信制御部３５は、ユーザから操作部４０を介して番組の選局操作を受付け、選局された番組を受信する指示をＴＶ放送受信部１０又はラジオ放送受信部２０に送る。当該指示を受付けたＴＶ放送受信部１０又はラジオ放送受信部２０は、指示された番組を受信し、その番組の音声信号は音声出力制御部３２を介してスピーカ５０に出力し、映像信号は画像出力制御部３１を介して表示部６０に出力することにより当該番組を再生する(ステップＳ４０２)。
【００３４】
続いて、番組特定部３３は、無線制御部７０を介してラジオ放送の番組表データを取得し、ＴＶ放送受信部１０を介してテレビ放送の番組表データを取得し、番組表データテーブル３１０及び番組表データテーブル３２０に各々格納する(ステップＳ４０３)。
受信制御部３５は、番組表データテーブルに基づいて再生番組情報テーブル３３０を更新し、番組特定部３３は、再生番組情報テーブル３３０及び番組表データテーブルに基づいて代替番組選出処理を行う(ステップＳ４０４)。
【００３５】
尚、代替番組選出処理については、後述する。
また、検知部３４は、受信感度情報テーブル３５０を読出し、再生中の番組の受信レベルが閾値以下であるか否かを検知する(ステップＳ４０５)。検知部３４が、受信レベルが閾値以下の状態を検知した場合(ステップＳ４０５:Ｙ)、更に、その検知時点から所定時間経過したか否かを判断する(ステップＳ４０６)。
【００３６】
ステップＳ４０６において、検知部３４は、所定時間経過したと判断した場合(ステップＳ４０６:Ｙ)、検知信号を番組特定部３３に送出する。
番組特定部３３は、代替番組情報テーブル３４０を読出し、現時点で放送中の代替番組があるか否か判定する(ステップＳ４０７)。番組特定部３３は、放送中の代替番組があると判定した場合には(ステップＳ４０７:Ｙ)、その代替番組を再生対象番組として特定し、特定した再生対象番組を示す情報を受信制御部３５に送出する(ステップＳ４０８)。
【００３７】
受信制御部３５は、再生対象番組を示す情報を受付け、当該情報に応じて、ＴＶ放送受信部１０又はラジオ放送受信部２０に再生対象番組を受信することを指示し、ＴＶ放送受信部１０又はラジオ放送受信部２０は、指示された再生対象番組を受信し再生する(ステップＳ４０９)。
また、ステップＳ４０７において、番組特定部３３は、放送中の代替番組が無いと判定した場合には(ステップＳ４０７:Ｎ)、代替番組切替処理を終了し、受信制御部３５は再生中の番組の受信を継続する。
【００３８】
尚、検知部３４が、ステップＳ４０５において受信レベルが閾値以下の状態を検知しなかった場合(ステップＳ４０５:Ｎ)、及びステップＳ４０６において閾値以下の状態が所定時間継続しなかったことを検知した場合(ステップＳ４０６:Ｎ)は、ステップＳ４０５以下の処理を繰り返す。
以下、上述したステップＳ４０４の代替番組選出処理の動作について、図５を用いて説明する。
【００３９】
受信制御部３５は、番組表データテーブルを読出し、再生中の番組の番組タイトル、キーワード、放送終了時間を抽出し、再生番組情報テーブル３３０を更新する(ステップＳ５０１)。
番組特定部３３は、再生番組情報テーブル３３０、番組表データテーブル３１０又は番組表データテーブル３２０を読出し、再生番組情報テーブル３３０のキーワード３３３に記憶されている文字列を含む番組が番組表データテーブル３１０又は番組表データテーブル３２０に記憶されているか否か判断する(ステップＳ５０２)。
【００４０】
ステップＳ５０２において、番組特定部３３が肯定的な判断をした場合には(ステップＳ５０２:Ｙ)、その番組の情報を代替番組情報テーブル３４０に記憶する(ステップＳ５０３)。また、否定的な判断をした場合には(ステップＳ５０２:Ｎ)、代替番組選出処理を終了する。
＜動作例＞
以下、上述した動作フローに基づき、図２及び図３の例を用いて代替番組切替処理の動作例について説明する。
【００４１】
ＴＶ放送受信部１０は、ユーザ操作を受付けた受信制御部３５の指示により図２(ａ)の番組２１３を受信して再生している(ステップＳ４０１〜４０２)。
番組特定部３３は、ＴＶ放送受信部１０を介してテレビ放送の番組表データ３１０(図３(ａ))を取得し、無線制御部７０を介して特定のサーバに接続し、ラジオ放送の番組表データ３２０(図３(ｂ))を取得する(ステップＳ４０３)。
【００４２】
受信制御部３５は、番組表データ３１０に基づいて、番組２１３の再生番組情報を再生番組情報テーブル３３０(図３(ｃ))に記憶する。また、番組特定部３３は、再生番組情報テーブル３３０と番組表データテーブル３２０を読出し、再生番組情報テーブル３３０のキーワード “野球”、“ドーム”、“ＡＡ×ＢＢ”を番組情報３２３に含む放送番組を選出して、代替番組情報テーブル３４０(図３(ｄ))に記憶する(ステップＳ４０４)。
【００４３】
検知部３４が、番組２１３を受信中に受信レベルがＸ以下になったことを検知し(ステップＳ４０５:Ｙ)、検知した時点から３０ｓ経過したことを検知した場合(ステップＳ４０６:Ｙ)、番組特定部３３は、代替番組情報テーブル３４０の放送終了時間３４３により、代替番組が放送中であると判断すると(ステップＳ４０７:Ｙ)、代替番組２２３(図２(ｂ))を示す情報を受信制御部３５に送出する(ステップＳ４０８)。
【００４４】
ラジオ放送受信部２０は、受信制御部３５に指示された代替番組２２３を受信してスピーカ５０に音声を出力し、画像出力制御部３１は、テレビ映像に替えて待受け画像を表示部６０に表示する(ステップＳ４０９)。
＜変形例＞
上述した実施形態では、再生中の番組を受信中に一定時間受信レベルが閾値以下になった時に、代替番組切替処理を行なう場合について説明したが、番組放送終了時間により次の番組が開始される場合に、代替番組切替処理を行なう場合について説明する。
【００４５】
例えば、テレビ放送の野球中継番組等は、試合の途中で放送が終了しても、ラジオ放送の番組で同じ試合が放送されている場合がある。そのような場合、その番組の次の番組がＴＶ放送受信部１０により受信されたことを検知部３４が検知し、番組特定部３３が、その検知時点においてラジオ放送中の代替番組を特定する。
図６は、携帯電話機１００の上部筐体１０１の部分を示しており、本変形例に係る代替番組切替処理がなされる前後の画面の遷移例を示している。
【００４６】
図６(ａ)は、ラジオ放送の代替番組に切替える前の画面例を示している。スピーカ５０は、受信しているテレビ放送の野球中継の音声５１を出力し、表示部６０は、野球中継の放送終了後にテレビ放送の受信を続行するか否かをユーザに選択させるための画像６２を、野球中継の映像６１に重ねて表示する。
また、図６(ｂ)は、図６(ａ)の状態において、テレビ放送の受信を続行しないことを示すボタン操作をユーザから受付けた場合の画面例を示している。スピーカ５０は、代替番組切替処理により特定されたラジオ放送の番組の音声５２を出力し、表示部６０は、テレビ映像に替えて待受け画像６３を表示する。
【００４７】
以下、図２及び図３の例を用い、本変形例における代替番組切替処理(図４)について説明する。尚、本変形例におけるテレビ放送番組はデジタル放送に係る放送番組であるものとして説明する。
受信制御部３５は、ユーザ操作により、ＴＶ放送受信部１０を介して図２(ａ)のテレビ放送番組２１３を受信して再生しており(ステップＳ４０１〜４０２)、番組特定部３３は、図２(ｂ)に示すラジオ放送番組２２３と番組２２４を代替番組情報テーブル３４０に記憶しているものとする(ステップＳ４０３〜４０４)。
【００４８】
ＴＶ放送受信部１０は、番組２１３を受信中に、番組２１３番組４０を２１：３０から開始することを示す次番組情報を受信して検知部３４に送出し、検知部３４は次番組情報をメモリに記憶する。
検知部３４は、次番組情報を受付けた後、画像出力制御部３１及び番組特定部３３に検知信号を送出し、画像出力制御部３１は、上述の図６(ａ)に示す画像６２をテレビ映像と合わせて表示部６０に表示し、番組特定部３３は、ステップＳ４０７及び４０８の処理を行なう。
【００４９】
受信制御部３５は、テレビ放送の受信を続行しないことを示すボタン操作をユーザから受付けると、次番組情報に基づき、画像出力制御部３１に待ち受け画像６３(図６(ｂ))を２１：３０から表示することを指示し、また、ステップＳ４０８において特定されたラジオ放送の番組を２１：３０から受信して再生することを音声出力制御部３２及びラジオ放送受信部２０に指示する。
【００５０】
画像出力制御部３１は、表示部６０に待ち受け画像６３を表示し、ラジオ放送受信部２０は、指示された番組を受信し、音声出力制御部３２は受信した番組の音声をスピーカ５０に出力する。
尚、次番組情報と同じ番組でない場合、及びテレビ放送を続行することを示すボタン操作を受付けた場合には、受信中の放送番組を継続して受信して再生する。
＜補足＞
以上、本発明に係る携帯電話機について実施形態、変形例に基づいて説明したが、以下のように変形することもでき、本発明は上述の実施形態、変形例で示した携帯電話機に限られないことは勿論である。
【００５１】
(１)上述した実施形態及び変形例では、再生中の放送番組がテレビ放送番組である場合に、ラジオ放送番組から代替番組を選出することとして説明したが、再生中の放送番組内容と共通するテレビ放送番組がある場合には、そのテレビ放送番組を代替番組として選出することとしてもよい。
（２）上述した実施形態及び変形例では、再生中の放送番組がテレビ放送番組である場合について説明したが、再生中の放送番組がラジオ放送番組である場合についても、その番組と共通するテレビ放送番組及びラジオ放送番組を代替番組として選出することとしてもよい。
（３）上述した実施形態及び変形例では、野球中継番組を再生している場合について説明したが、他のスポーツ中継番組を再生する場合も同様である。また、スポーツ中継番組に限らず、災害情報番組等も番組情報が共通していれば適用することができる。
（４）上述した実施形態では、受信レベルが一定時間閾値以下であることを検知した後は、代替するラジオ放送番組を再生することとして説明したが、検知後にテレビ放送の受信レベルが回復した場合、再度テレビ放送番組を再生させることとしてもよい。
（５）上述した実施形態では、テレビ放送番組を視聴している場合について説明したが、例えば、ユーザがラジオ放送番組を聴きながらメール編集を行っている場合において、受信レベルが一定時間閾値以下になったとき、代替するテレビ放送番組を再生する前に、そのテレビ放送番組の映像を表示せずに音声のみを出力するか否かユーザに選択させてもよい。
（６）上述した実施形態及び変形例では、テレビ放送及びラジオ放送の番組表を予め外部から取得し、代替番組を選出することとして説明したが、例えば、外部のサーバ上においてテレビ放送及びラジオ放送の番組表を保持し、番組特定部３３は、無線制御部７０を介して再生中の放送番組に代替する番組をそのサーバに問い合わせ、サーバから代替番組情報を取得し、受信制御部３５はその情報に係る放送番組をＴＶ放送受信部１０又はラジオ放送受信部２０に再生させることとしてもよい。
（７）上述した実施形態及び変形例では、番組名称等に基づいて放送番組間の対応付けを行っていたが、番組名称等に限らず各番組間をリンクするための特別な情報であってもよい。
（８）上述した実施形態及び変形例では、携帯電話機を用いて説明したが、携帯電話機に限らずテレビ・ラジオ放送受信可能なＰＤＡ等の携帯端末でも適用することができる。
（９）携帯電話機における各処理（図４、図５参照）をプロセッサに実行させるためのプログラムを、記録媒体に記録し又は各種通信路等を介して、流通させ頒布することもできる。このような記録媒体には、ＩＣカード、ハードディスク、光ディスク、フレキシブルディスク、ＲＯＭ等がある。流通、頒布されたプログラムはプロセッサに読み出され得るメモリ等に格納されることにより利用に供され、そのプロセッサがそのプログラムを実行することにより実施形態、変形例で示した携帯電話機の機能が実現されるようになる。
【産業上の利用可能性】
【００５２】
本発明に係る携帯端末は、テレビ放送又はラジオ放送を受信可能な携帯電話機等の携帯端末に利用され得る。
【図面の簡単な説明】
【００５３】
【図１】本発明の実施形態に係る携帯電話機１００の構成図である。
【図２】本発明の実施形態に係るテレビ放送及びラジオ放送の番組表の例を示す図である。
【図３】本発明の実施形態に係る携帯電話機１００内部に記憶されているデータテーブルの構成及び内容例を示す図である。
【図４】本発明の実施形態に係る携帯電話機１００の代替番組切替処理を示すフローチャートである。
【図５】番組特定部３３による代替番組選出処理を示すフローチャートである。
【図６】本発明の変形例に係る画面遷移例を示す図である。
【図７】本発明の実施形態及び変形例に係る携帯電話機１００の外観図である。
【符号の説明】
【００５４】
１０    ＴＶ放送受信部
２０    ラジオ放送受信部
３０    制御部
３１    画像出力制御部
３２    音声出力制御部
３３    番組特定部
３４    検知部
３５    受信制御部
４０    操作部
５０    スピーカ
６０    表示部
７０    無線制御部
８０    音声処理部
９０    マイク
１００  携帯電話機
【図１】
0004838548.tif 000002
【図２】
0004838548.tif 000003
【図３】
0004838548.tif 000004
【図４】
0004838548.tif 000005
【図５】
0004838548.tif 000006
【図６】
0004838548.tif 000007
【図７】
0004838548.tif 000008